(57)【特許請求の範囲】
【請求項１】
ホットパックボックスを含み、前記ホットパックボックスの内部にはホットパック空間が設けられ、前記ホットパックボックスの中には二つの横溝が設けられ、前記横溝の中にはホットパック機構が設けられ、前記ホットパック機構は、前記横溝の内部で左右に移動できる横棒を含み、前記横棒の端面には移動ブロックが固定的に設けられ、前記移動ブロックの内部には移動空間が設けられ、前記移動空間の後壁には縦溝が形成され、前記縦溝の端壁にはソケットが固定的に設けられ、前記縦溝の中にはスイッチ溝が上下に移動できるように形成され、前記スイッチ溝の上端面には縦ブロックが固定的に設けられ、前記スイッチ溝と前記縦溝との間には昇降スプリングが連結され、前記移動空間の後壁には移動溝が形成され、前記移動溝の内部には位置制限空間が左右に移動できるように設けられ、前記位置制限空間には摺動溝が前記位置制限空間を上下に貫通するように設けられ、前記摺動溝の前面には横ブロックが固定的に設けられ、前記摺動溝の中には昇降棒が上下に移動できるように設けられ、前記昇降棒の後面には伸縮ブロックが固定的に設けられ、前記伸縮ブロックの下端面と前記横ブロックの上端面とは、位置制限ばねによって連結され、前記昇降棒が上下に移動すると前記スイッチ溝が前記ソケットと接触し、
前記ホットパックボックスの中には二つの回転空間が設けられ、前記回転室の中には昇降機構が設けられ、前記昇降機構は、前記回転空間の後壁に回転可能に設けられている伝動軸を含み、前記伝動軸には接触歯車が固定的に設けられ、前記回転空間の後壁には、固定溝が形成され、前記固定溝には移動棒が左右に移動できるように設けられ、前記移動棒の上端面には第一ラックが固定的に設けられ、前記ホットパックボックスの下面には、下方に開口する二つの調整溝が形成され、前記調整溝と前記回転空間との間には連結溝が連結され、前記調整溝の中には調整ブロックが上下に移動できるように設けられ、前記調整ブロックの上面と前記調整溝の上壁との間には調整ばねが連結されていることを特徴とする足首の捻挫に対する固定ホットパック装置。
【請求項２】
前記移動空間において前記横棒から離れている端壁には検出ブロックが設けられ、前記移動空間の後壁にはピンが固定的に設けられ、前記ピンには伝動棒が回転可能に設けられ、前記伝動棒と前記ピンとの間にはねじりばねが設けられ、前記移動ブロックにおいて前記横棒から離れている端面にはホットパック棒が設けられ、前記ホットパック棒の端面には温度測定フレームが固定的に設けられ、前記温度測定フレームの中には温度測定空間が設けられ、前記温度測定空間の中には温度測定ブロックが左右に移動可能に設置され、前記温度測定ブロックの端面には温度測定棒が固定的に設けられ、前記温度測定棒の他端には前記位置制限空間が固定的に設けられていることを特徴とする請求項１に記載の足首の捻挫に対する固定ホットパック装置。
【請求項３】
前記調整ブロックの下端面には、下方に開口するネジ空間が設けられ、前記ネジ空間の内部にはねじ柱が回転可能に設けられ、前記ねじ柱には連結ブロックが固定的に設けられ、前記連結ブロックの下端面には固定ブロックが固定的に設けられ、前記横棒の上端面には上方に開口する制限溝が形成され、前記ホットパックボックスの内部には二つの吸引溝が形成され、前記吸引溝の内部には位置制限棒が上下に移動できるように設けられ、前記位置制限棒の上端面に鉄ブロックが固定的に設けられ、前記吸引溝の上端壁には電磁石が固定的に設けられ、前記電磁石と前記鉄ブロックとは伸縮ばねによって連結されていることを特徴とする請求項１に記載の足首の捻挫に対する固定ホットパック装置。
【請求項４】
前記ホットパックボックスの上端面にはスイッチが固定的に設けられ、前記ホットパック空間の左端壁には電源が固定的に設けられていることを特徴とする請求項３に記載の足首の捻挫に対する固定ホットパック装置。
【請求項５】
前記伸縮ばねの弾性力は、前記復帰ばねの弾性力よりも大きく、前記復帰ばねの弾性力は、前記ねじりばねの弾性力より大きいことを特徴とする請求項３に記載の足首の捻挫に対する固定ホットパック装置。
【発明の詳細な説明】
【技術分野】
【０００１】
本願発明は医療分野に関し、具体的には足首の捻挫に対する固定ホットパック装置である。
【背景技術】
【０００２】
足首の捻挫とは足首の関節を挫いたとのことで、患者の足首の関節に腫れや痛みを引き起こし、足首が捻挫した後、最初にすることは動くことを避け、できるだけベッドで休み、患肢をクッションとかで高く上げておき、足首の捻挫が重篤でない場合は、まず、氷を包むタオルで敷いて腫れをなくし、腫れは自然に和らげるのを待てればいい、腫れが消えたら、ホットパックをして治癒を促進し、一般的に、負傷者は熱いタオルでホットパックをするが、普通の熱いタオルは使用時間が短く、必要な温度がすぐに失われ、しかも、熱いタオルは負傷した部位を固定できず、患者は二次負傷する可能性がある。
【先行技術文献】
【特許文献】
【０００３】
【特許文献１】中国特許出願公開第１０６７６７１２２号明細書
【発明の概要】
【発明が解決しようとする課題】
【０００４】
本願発明が解決する技術問題は、足首の捻挫に対する固定ホットパック装置を提供することにより、熱いタオルの使用時間が短く、負傷した部位を固定できないなどの問題を克服する。
【課題を解決するための手段】
【０００５】
上記の課題を解決するため、本願発明は以下の技術プランを採用する：ホットパックボックスを含み、前記ホットパックボックスの内部にはホットパック空間が設けられ、前記ホットパックボックスの中には二つの横溝が設けられ、前記横溝の中にはホットパック機構が設けられ、前記ホットパック機構は、前記横溝の内部で左右に移動できる横棒を含み、前記横棒の端面には移動ブロックが固定的に設けられ、前記移動ブロックの内部には移動空間が設けられ、前記移動空間の後壁には縦溝が形成され、前記縦溝の端壁にはソケットが固定的に設けられ、前記縦溝の中にはスイッチ溝が上下に移動できるように形成され、前記スイッチ溝の上端面には縦ブロックが固定的に設けられ、前記スイッチ溝と前記縦溝との間には昇降スプリングが連結され、前記移動空間の後壁には移動溝が形成され、前記移動溝の内部には位置制限空間が左右に移動できるように設けられ、前記位置制限空間には摺動溝が前記位置制限空間を上下に貫通するように設けられ、前記摺動溝の前面には横ブロックが固定的に設けられ、前記摺動溝の中には昇降棒が上下に移動できるように設けられ、前記昇降棒の後面には伸縮ブロックが固定的に設けられ、前記伸縮ブロックの下端面と前記横ブロックの上端面とは、位置制限ばねによって連結され、前記昇降棒が上下に移動すると前記スイッチ溝が前記ソケットと接触し、
前記ホットパックボックスの中には二つの回転空間が設けられ、前記回転室の中には昇降機構が設けられ、前記昇降機構は、前記回転空間の後壁に回転可能に設けられている伝動軸を含み、前記伝動軸には接触歯車が固定的に設けられ、前記回転空間の後壁には、固定溝が形成され、前記固定溝には移動棒が左右に移動できるように設けられ、前記移動棒の上端面には第一ラックが固定的に設けられ、前記ホットパックボックスの下面には、下方に開口する二つの調整溝が形成され、前記調整溝と前記回転空間との間には連結溝が連結され、前記調整溝の中には調整ブロックが上下に移動できるように設けられ、前記調整ブロックの上面と前記調整溝の上壁との間には調整ばねが連結されている。
【０００６】
更の技術プラン、前記移動空間において前記横棒から離れている端壁には検出ブロックが設けられ、前記移動空間の後壁にはピンが固定的に設けられ、前記ピンには伝動棒が回転可能に設けられ、前記伝動棒と前記ピンとの間にはねじりばねが設けられ、前記移動ブロックにおいて前記横棒から離れている端面にはホットパック棒が設けられ、前記ホットパック棒の端面には温度測定フレームが固定的に設けられ、前記温度測定フレームの中には温度測定空間が設けられ、前記温度測定空間の中には温度測定ブロックが左右に移動可能に設置され、前記温度測定ブロックの端面には温度測定棒が固定的に設けられ、前記温度測定棒の他端には前記位置制限空間が固定的に設けられている。
【０００７】
優選の技術プランとして、前記調整ブロックの下端面には、下方に開口するネジ空間が設けられ、前記ネジ空間の内部にはねじ柱が回転可能に設けられ、前記ねじ柱には連結ブロックが固定的に設けられ、前記連結ブロックの下端面には固定ブロックが固定的に設けられ、前記横棒の上端面には上方に開口する制限溝が形成され、前記ホットパックボックスの内部には二つの吸引溝が形成され、前記吸引溝の内部には位置制限棒が上下に移動できるように設けられ、前記位置制限棒の上端面に鉄ブロックが固定的に設けられ、前記吸引溝の上端壁には電磁石が固定的に設けられ、前記電磁石と前記鉄ブロックとは伸縮ばねによって連結されている。
【０００８】
優選の技術プランとして、前記ホットパックボックスの上端面にはスイッチが固定的に設けられ、前記ホットパック空間の左端壁には電源が固定的に設けられている。
【０００９】
優選の技術プランとして、前記伸縮ばねの弾性力は、前記復帰ばねの弾性力よりも大きく、前記復帰ばねの弾性力は、前記ねじりばねの弾性力より大きい。
【発明の効果】
【００１０】
本願発明は、捻挫した足首に効果的にホットパックし、長期間の加熱と保温を維持し、温度が高すぎると自動的に加熱を停止し、火傷の可能性を減らし、本願発明は負傷した足首を固定でき、負傷者の二次負傷を防ぐことができ、負傷者が眠っているときに、負傷した部分を持ち上げ、回復効果が向上する。
【図面の簡単な説明】
【００１１】
下記に図１〜３をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の実施例の構成模式図
【図２】図２は図１におけるＡ部の拡大模式図
【図３】図３は図２におけるＢ―Ｂ方向の模式図
【発明を実施するための形態】
【００１３】
ここでは図１〜３を参照し、本願発明について詳しく説明する。叙述の便利のため、以下に述べる方位についてこのように規定する：以下に述べる上下・左右・前後の方向は、図１自体の投影関係の上下・左右・前後の方向と一致する。
【００１４】
図１〜３を参照し、本願発明の足首の捻挫に対する固定ホットパック装置は、ホットパックボックス１５を含み、前記ホットパックボックス１５の内部にはホットパック空間２８が設けられ、前記ホットパックボックス１５の中には二つの横溝１９が設けられ、前記横溝１９の中にはホットパック機構７１が設けられ、前記ホットパック機構７１は、前記横溝１９の内部で左右に移動できる横棒３２がを含み、前記横棒３２の端面には移動ブロック２９が固定的に設けられ、前記移動ブロック２９の内部には移動空間３０が設けられ、前記移動空間３０の後壁には縦溝５８が形成され、前記縦溝５８の端壁にはソケット５９が固定的に設けられ、前記縦溝５８の中にはスイッチ溝４１が上下に移動できるように形成され、前記スイッチ溝４１の上端面には縦ブロック５７が固定的に設けられ、前記スイッチ溝４１と前記縦溝５８との間には昇降スプリング６０が連結され、前記移動空間３０の後壁には移動溝４３が形成され、前記移動溝４３の内部には位置制限空間４２が左右に移動できるように設けられ、前記位置制限空間４２には摺動溝５０が前記位置制限空間４２を上下に貫通するように設けられ、前記摺動溝５０の前面には横ブロック６３が固定的に設けられ、前記摺動溝５０の中には昇降棒５５が上下に移動できるように設けられ、前記昇降棒５５の後面には伸縮ブロック６１が固定的に設けられ、前記伸縮ブロック６１の下端面と前記横ブロック６３の上端面とは、位置制限ばね６２によって連結され、前記昇降棒５５が上下に移動すると前記スイッチ溝４１が前記ソケット５９と接触し、
前記ホットパックボックス１５の中には二つの回転空間４５が設けられ、前記回転室４５の中には昇降機構７０が設けられ、前記昇降機構７０は、前記回転空間４５の後壁に回転可能に設けられている伝動軸３６を含み、前記伝動軸３６には接触歯車３５が固定的に設けられ、前記回転空間４５の後壁には、固定溝３８が形成され、前記固定溝３８には移動棒４０が左右に移動できるように設けられ、前記移動棒４０の上端面には第一ラック３９が固定的に設けられ、前記ホットパックボックス１５の下面には、下方に開口する二つの調整溝１７が形成され、前記調整溝１７と前記回転空間４５との間には連結溝３７が連結され、前記調整溝１７の中には調整ブロック１６が上下に移動できるように設けられ、前記調整ブロック１６の上面と前記調整溝１７の上壁との間には調整ばね１８が連結されている。
【００１５】
好ましくは、前記移動空間３０において前記横棒３２から離れている端壁には検出ブロック４９が設けられ、前記移動空間３０の後壁にはピン４７が固定的に設けられ、前記ピン４７には伝動棒４６が回転可能に設けられ、前記伝動棒４６と前記ピン４７との間にはねじりばね４８が設けられ、前記移動ブロック２９において前記横棒３２から離れている端面にはホットパック棒３１が設けられ、前記ホットパック棒３１の端面には温度測定フレーム５１が固定的に設けられ、前記温度測定フレーム５１の中には温度測定空間５２が設けられ、前記温度測定空間５２の中には温度測定ブロック５３が左右に移動可能に設置され、前記温度測定ブロック５３の端面には温度測定棒５４が固定的に設けられ、前記温度測定棒５４の他端には前記位置制限空間４２が固定的に設けられている。
【００１６】
好ましくは、前記調整ブロック１６の下端面には、下方に開口するネジ空間１４が設けられ、前記ネジ空間１４の内部にはねじ柱１３が回転可能に設けられ、前記ねじ柱１３には連結ブロック１１が固定的に設けられ、前記連結ブロック１１の下端面には固定ブロック１０が固定的に設けられ、前記横棒３２の上端面には上方に開口する制限溝３４が形成され、前記ホットパックボックス１５の内部には二つの吸引溝２３が形成され、前記吸引溝２３の内部には位置制限棒２１が上下に移動できるように設けられ、前記位置制限棒２１の上端面に鉄ブロック２２が固定的に設けられ、前記吸引溝２３の上端壁には電磁石２４が固定的に設けられ、前記電磁石２４と前記鉄ブロック２２とは伸縮ばね２５によって連結されている。
【００１７】
好ましくは、前記ホットパックボックス１５の上端面にはスイッチ２６が固定的に設けられ、前記ホットパック空間２８の左端壁には電源２７が固定的に設けられている。
【００１８】
好ましくは、前記伸縮ばね２５の弾性力は、前記復帰ばね２０の弾性力よりも大きく、前記復帰ばね２０の弾性力は、前記ねじりばね４８の弾性力より大きい。
【００１９】
初期状態では、前記調整ばね１８、前記伸縮ばね２５、前記ねじりばね４８、前記接触ばね４４、前記昇降スプリング６０、および前記位置制限ばね６２は正常状態にある。
【００２０】
作業状態で、ホットパックを必要とする負傷した足をホットパック空間２８に入れ、足首を対応する位置に置き、スイッチ２６を押すと、スイッチ２６は電源２７を起動し、電源２７は電磁石２４を通電し、電磁石２４はブロック２２を吸引し、鉄ブロック２２は前記位置制限棒２１を駆動して上方に移動させ、位置制限棒２１は上方に移動し、復帰ばね２０は横棒３２を押し動かして近づかせ、第二ラック３３は横棒３２とともに移動し、第二ラック３３は、前記接触歯車３５に接触することによって第一ラック３９を摩擦駆動し、第一ラック３９は移動棒４０を移動させ、移動棒４０が移動して調整ブロック１６を上下に移動させ、手動でねじ柱１３を回すことにより、ホットパックボックス１５の左側と右側の高さを調整でき、移動ブロック２９は横棒３２とともに移動し、二つの移動ブロック２９が近づくと、検出ブロック４９は伝動棒４６を駆動してピン４７を中心に回転させ、ピン４７が回転すると、昇降棒５５を下方に移動させ、スイッチ溝４１は昇降棒５５と一緒に下方に移動し、スイッチ溝４１はソケット５９に接触し、ホットパック棒３１が発熱し始め、ホットパックの役割を果たし、二つのホットパック棒３１は足首を固定して二次損傷を防ぐことができ、ホットパック棒３１が特定の温度に達すると、温度測定ブロック５３が温度測定棒５４を押して移動させ、位置制限空間４２は温度測定棒５４と共に移動し、位置制限空間４２は昇降棒５５を移動させ、昇降スプリング６０はスイッチ溝４１を押し上げて上方に移動し、ホットパック棒３１は加熱を停止し、ホットパック棒３１の加熱が必要でない場合は、スイッチ２６によって電源２７をオフにし、装置から足を取り出す必要がある場合は、二つの移動ブロック２９を手動で押して離させ、ホットパック棒３１が制限溝３４に入り、移動ブロック２９が移動できなくなる。
【００２１】
上記方式により、本分野の当業者は本願発明の範囲内に作動パターンにより各種な変化を実行できる。
【要約】
【課題】本願発明は足首の捻挫に対する固定ホットパック装置を開示した。
【解決手段】
ホットパックボックスを含み、前記ホットパックボックスの内部にはホットパック空間が設けられ、前記ホットパックボックスの中には二つの横溝が設けられ、前記横溝の中にはホットパック機構が設けられ、前記ホットパック機構は、前記横溝の内部で左右に移動できる横棒を含み、前記ホットパックボックスの中には二つの回転空間が設けられ、前記回転室の中には昇降機構が設けられ、本願発明は、捻挫した足首に効果的にホットパックし、長期間の加熱と保温を維持し、温度が高すぎると自動的に加熱を停止し、火傷の可能性を減らし、本願発明は負傷した足首を固定でき、負傷者の二次負傷を防ぐことができ、負傷者が眠っているときに、負傷した部分を持ち上げ、回復効果が向上する。
【選択図】図１【図１】
0006793288.tif 000002
【図２】
0006793288.tif 000003
【図３】
0006793288.tif 000004